(57)【特許請求の範囲】
【請求項１】
連絡対象を選択するための第１画像と、前記連絡対象の連絡先を利用するアプリケーションプログラムを選択するための第２画像とを生成する生成部と、
前記第１画像と前記第２画像を表示する表示部と、
前記第１画像に対する第１操作と、前記第２画像に対する第２操作とを受け付ける受付部と、
前記受付部によって前記第１操作と前記第２操作が受け付けられたことに基づいて、前記第２操作により選択された前記アプリケーションプログラムを起動するとともに、当該アプリケーションプログラムに利用される連絡先に前記第１操作により選択された前記連絡対象の前記連絡先を適用する処理を実行する実行部と、を備え、
前記受付部は、複数の連絡対象を選択するための前記第１画像に対する操作を、前記第１操作として受け付け、
前記実行部は、前記第２操作によって選択された前記アプリケーションプログラムを、前記第１操作により選択された前記複数の連絡対象と同数起動させるとともに、起動された前記アプリケーションプログラムに利用される連絡先に、前記第１操作により選択された前記複数の連絡対象の前記連絡先を割り当てる処理を実行する、
ことを特徴とする携帯端末装置
【請求項２】
請求項１に記載の携帯端末装置において、
前記連絡対象には、複数の種目の連絡先が割り当てられ、
前記実行部は、
前記アプリケーションプログラムに対応する前記種目を特定するための対応情報を保持し、
前記第１操作により選択された前記連絡対象に割り当てられた前記複数の種目の前記連絡先のうち、前記第２操作により選択された前記アプリケーションプログラムに対応する前記種目の連絡先を、当該選択されたアプリケーションプログラムに利用される連絡先に適用する処理を実行する、
ことを特徴とする携帯端末装置。
【請求項３】
請求項２に記載の携帯端末装置において、
前記種目は、前記連絡先の名前、電話番号、電子メールアドレス、所在地、ソーシャルネットワーキングサービス（ＳＮＳ）を利用するための接続先、および所定のオンラインサービスを利用するための接続先のうち、少なくとも１つを含む、
ことを特徴とする携帯端末装置。
【請求項４】
請求項１ないし３の何れか一項に記載の携帯端末装置において、
前記受付部は、複数のアプリケーションプログラムを選択するための前記第２画像に対する操作を、前記第２操作として受け付け、
前記実行部は、前記第２操作によって選択された前記複数のアプリケーションプログラムを起動するとともに、前記複数のアプリケーションプログラムに利用される連絡先に、前記第１操作により選択された前記連絡対象の連絡先をそれぞれ適用する処理を実行する、
ことを特徴とする携帯端末装置。
【請求項５】
請求項２または３に記載の携帯端末装置において、
前記受付部は、前記第１操作により前記連絡対象が選択されている状態において、前記対応情報に基づき、選択された前記連絡対象に割り当てられた種目の前記連絡先に対応しないアプリケーションプログラムを選択するための前記第２画像に対する前記第２操作を無効とする、
ことを特徴とする携帯端末装置。
【請求項６】
請求項２または３に記載の携帯端末装置において、
前記受付部は、前記第２操作によって前記アプリケーションプログラムが選択されている状態において、前記対応情報に基づき、選択された前記アプリケーションプログラムが対応する種目の前記連絡先が割り当てられていない前記連絡対象を選択するための前記第１画像に対する前記第１操作を無効とする、
ことを特徴とする携帯端末装置。
【請求項７】
携帯端末装置のコンピュータに、
連絡対象を選択するための第１画像と、前記連絡対象の連絡先を利用するアプリケーションプログラムを選択するための第２画像とを生成する機能と、
複数の連絡対象を選択するための前記第１画像に対する第１操作と、前記第２画像に対する第２操作とを受け付ける機能と、
前記第１操作と前記第２操作が受け付けられた場合、前記第２操作によって選択された前記アプリケーションプログラムを、前記第１操作により選択された前記複数の連絡対象と同数起動させるとともに、起動された前記アプリケーションプログラムに利用される連絡先に、前記第１操作により選択された前記複数の連絡対象の前記連絡先を割り当てる機能と、を実行させる、
ことを特徴とするプログラム。
【請求項８】
携帯端末装置のアプリケーション実行制御方法であって、
連絡対象を選択するための第１画像と、前記連絡対象の連絡先を利用するアプリケーションプログラムを選択するための第２画像とを生成するステップと、
複数の連絡対象を選択するための前記第１画像に対する第１操作と、前記第２画像に対する第２操作とを受け付けるステップと、
前記第１操作と前記第２操作の両方が受け付けられた場合、前記第２操作によって選択された前記アプリケーションプログラムを、前記第１操作により選択された前記複数の連絡対象と同数起動させるとともに、起動された前記アプリケーションプログラムに利用される連絡先に、前記第１操作により選択された前記複数の連絡対象の前記連絡先を割り当てるステップと、を含む、
ことを特徴とするアプリケーション実行制御方法。
【発明の詳細な説明】
【技術分野】
【０００１】
本発明は、携帯電話機、ＰＤＡ（Personal Digital Assistant）、タブレットＰＣ（Tablet PC）、電子書籍端末等の携帯端末装置および当該携帯端末装置に用いて好適なプログラムとアプリケーション実行制御方法に関するものである。
【背景技術】
【０００２】
従来、携帯電話機等の携帯端末装置では、アドレス帳に予め登録された連絡先を用いて、各種のアプリケーションプログラム（以下、「アプリケーション」と呼ぶ。）を実行することができる。
【０００３】
たとえば、人物や組織等の連絡対象に関する連絡先の情報が表示された状態において、当該連絡先を利用するアプリケーションへとリンクさせる画像を、表示画面に含める構成が知られている（特許文献１参照）。たとえば、リンクされたアプリケーションが電子メールのアプリケーションであれば、ユーザがリンクを選択することにより、電子メールのアプリケーションが起動され、起動された電子メールの送信先に、リンクの選択前に表示されていた連絡先の電子メールアドレスが取り込まれる。
【先行技術文献】
【特許文献】
【０００４】
【特許文献１】特開２００６−１０６９６７号公報
【発明の概要】
【発明が解決しようとする課題】
【０００５】
しかしながら、上記の構成では、リンクを選択する操作を行う前に、予め、アドレス帳を開いて画面に連絡先を表示させておく必要がある。電子メール等のアプリケーションを利用する場合には、なるべく簡易な操作によって、実行されるアプリケーションに連絡先が組み込まれるのが望ましい。
【０００６】
本発明は、かかる課題に鑑みてなされたものであり、各種のアプリケーションを円滑に起動できる携帯端末装置、プログラムおよびアプリケーション実行制御方法を提供することを目的とする。
【課題を解決するための手段】
【０００７】
本発明の第１の態様は携帯端末装置に関する。本態様に係る携帯端末装置は、連絡対象を選択するための第１画像と、前記連絡対象の連絡先を利用するアプリケーションプログラムを選択するための第２画像とを生成する生成部と、前記第１画像と前記第２画像を表示する表示部と、前記第１画像に対する第１操作と、前記第２画像に対する第２操作とを受け付ける受付部と、前記受付部によって前記第１操作と前記第２操作が受け付けられたことに基づいて、前記第２操作により選択された前記アプリケーションプログラムを起動するとともに、当該アプリケーションプログラムに利用される連絡先に前記第１操作により選択された前記連絡対象の前記連絡先を適用する処理を実行する実行部と、を備える。ここで、前記受付部は、複数の連絡対象を選択するための前記第１画像に対する操作を、前記第１操作として受け付け、前記実行部は、前記第２操作によって選択された前記アプリケーションプログラムを、前記第１操作により選択された前記複数の連絡対象と同数起動させるとともに、起動された前記アプリケーションプログラムに利用される連絡先に、前記第１操作により選択された前記複数の連絡対象の前記連絡先を割り当てる処理を実行する。
【０００８】
本態様に係る携帯端末装置において、前記連絡対象には、複数の種目の連絡先が割り当てられ、前記実行部は、前記アプリケーションプログラムに対応する前記種目を特定するための対応情報を保持するよう構成され得る。この場合、前記第１操作により選択された前記連絡対象に割り当てられた前記複数の種目の前記連絡先のうち、前記第２操作により
選択された前記アプリケーションプログラムに対応する前記種目の連絡先を、当該選択されたアプリケーションプログラムに利用される連絡先に適用する処理を実行する。
【０００９】
本態様に係る携帯端末装置において、前記種目は、前記連絡先の名前、電話番号、電子メールアドレス、所在地、ソーシャルネットワーキングサービス（ＳＮＳ）を利用するための接続先、および所定のオンラインサービスを利用するための接続先のうち、少なくとも１つを含み得る。
【００１２】
第１の態様に係る携帯端末装置において、前記受付部は、複数のアプリケーションプログラムを選択するための前記第２画像に対する操作を、前記第２操作として受け付け得る。この場合、前記実行部は、前記第２操作によって選択された前記複数のアプリケーションプログラムを起動するとともに、前記複数のアプリケーションプログラムに利用される連絡先に、前記第１操作により選択された前記連絡対象の連絡先をそれぞれ適用する処理を実行する。
【００１３】
第１の態様に係る携帯端末装置において、前記連絡対象には、複数の種目の連絡先が割り当てられ、前記実行部は、前記アプリケーションプログラムに対応する前記種目を特定するための対応情報を保持するよう構成された場合、さらに、前記受付部は、前記第１操作により前記連絡対象が選択されている状態において、前記対応情報に基づき、選択された前記連絡対象に割り当てられた種目の前記連絡先に対応しないアプリケーションプログラムを選択するための前記第２画像に対する前記第２操作を無効とし得る。
ことを特徴とする携帯端末装置。
【００１４】
第１の態様に係る携帯端末装置において、前記連絡対象には、複数の種目の連絡先が割り当てられ、前記実行部は、前記アプリケーションプログラムに対応する前記種目を特定するための対応情報を保持するよう構成された場合、さらに、前記受付部は、前記第２操作によって前記アプリケーションプログラムが選択されている状態において、前記対応情報に基づき、選択された前記アプリケーションプログラムが対応する種目の前記連絡先が割り当てられていない前記連絡対象を選択するための前記第１画像に対する前記第１操作を無効とし得る。
【００１５】
本発明の第２の態様は、プログラムに関する。本態様に係るプログラムは、携帯端末装置のコンピュータに、連絡対象を選択するための第１画像と、前記連絡対象の連絡先を利用するアプリケーションプログラムを選択するための第２画像とを生成する機能と、複数の連絡対象を選択するための前記第１画像に対する第１操作と、前記第２画像に対する第２操作とを受け付ける機能と、前記第１操作と前記第２操作が受け付けられた場合、前記第２操作により選択された前記アプリケーションプログラムを、前記第１操作により選択された前記複数の連絡対象と同数起動させるとともに、起動された前記アプリケーションプログラムに利用される連絡先に、前記第１操作により選択された前記複数の連絡対象の前記連絡先を割り当てる機能と、を実行させる。
【００１６】
本発明の第３の態様は、携帯端末装置のアプリケーション実行制御方法に関する。本態様に係るアプリケーション実行方法は、連絡対象を選択するための第１画像と、前記連絡対象の連絡先を利用するアプリケーションプログラムを選択するための第２画像とを生成するステップと、複数の連絡対象を選択するための前記第１画像に対する第１操作と、前記第２画像に対する第２操作とを受け付けるステップと、前記第１操作と前記第２操作の両方が受け付けられた場合、前記第２操作により選択された前記アプリケーションプログラムを、前記第１操作により選択された前記複数の連絡対象と同数起動させるとともに、起動された前記アプリケーションプログラムに利用される連絡先に、前記第１操作により選択された前記複数の連絡対象の前記連絡先を割り当てるステップと、を含む。
【発明の効果】
【００１７】
本発明によれば、各種のアプリケーションを円滑に起動できる携帯端末装置、プログラムおよびアプリケーション実行制御方法を提供できる。
【００１８】
本発明の効果ないし意義は、以下に示す実施の形態の説明によりさらに明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００１９】
【図１】実施の形態に係る、携帯電話機の外観構成を示す図である。
【図２】実施の形態に係る、携帯電話機の全体構成を示すブロック図である。
【図３】実施の態様に係る、連絡先情報の例と対応リストの例とを示す表である。
【図４】実施の形態に係る、起動制御処理を示すフローチャートと、起動制御処理の実行画面を示す図である。
【図５】実施の形態に係る、選択受付処理ルーチンを示すフローチャートである。
【図６】実施の形態に係る、起動制御処理の実行画面と、起動制御処理に基づき起動されたアプリケーションの実行画面とを示す図である。
【図７】実施の形態に係る、起動制御処理の実行画面と、起動制御処理に基づき起動されたアプリケーションの実行画面とを示す図である。
【図８】変更例１に係る、起動制御処理を示すフローチャートである。
【図９】変更例１に係る、選択受付処理ルーチンを示すフローチャートである。
【図１０】変更例１に係る、起動制御処理の実行画面と、起動制御処理に基づき起動されたアプリケーションの実行画面とを示す図である。
【図１１】変更例１に係る、起動制御処理の実行画面と、起動制御処理に基づき起動されたアプリケーションの実行画面とを示す図である。
【図１２】変更例２に係る、選択受付処理ルーチンを示すフローチャートと、起動制御処理に基づき起動されたアプリケーションの実行画面とを示す図である。
【図１３】変更例３に係る、選択受付処理ルーチンを示すフローチャートである。
【図１４】変更例３に係る、起動制御処理の実行画面と、起動制御処理に基づき起動されたアプリケーションの実行画面とを示す図である。
【図１５】変更例３に係る、起動制御処理の実行画面と、起動制御処理に基づき起動されたアプリケーションの実行画面とを示す図である。
【図１６】その他の変更例に係る、起動制御処理の実行画面を示す図である。
【図１７】その他の変更例に係る、起動制御処理の実行画面を示す図である。
【図１８】その他の変更例に係る、起動制御処理の実行画面と、起動制御処理に基づき起動されたアプリケーションの実行画面とを示す図である。
【図１９】その他の変更例に係る、第１操作および第２操作を説明するための図である。
【図２０】その他の変更例に係る、起動制御処理を起動するための処理を示すフローチャートである。
【発明を実施するための形態】
【００２０】
以下、本発明の実施の形態について、図面を参照して説明する。
【００２１】
図１は、携帯電話機１の外観構成を示す正面図である。携帯電話機１は、キャビネット
２と、表示面３と、レンズ窓４と、マイクロフォン５と、スピーカ６と、キー操作部７と、を備える。
【００２２】
図２は、携帯電話機１の全体構成を示すブロック図である。携帯電話機１は、制御部１１と、記憶部１２と、表示部１３と、操作入力部１４と、撮影部１５と、音声入力部１６と、音声出力部１７と、音声処理部１８と、キー操作入力部１９と、通信部２０と、を備える。
【００２３】
表示面３は、キャビネット２の正面に配されている。表示面３は、表示部１３の表示面である。表示面３には画面が表示される。
【００２４】
レンズ窓４は、キャビネット２の正面方向、すなわち、表示面３と同じ方向を向くよう配されている。画面を閲覧するユーザの顔等、キャビネット２の正面方向にある被写体の像が、レンズ窓４から撮影部１５へ取り込まれる。
【００２５】
マイクロフォン５は、入力した音に応じた電気信号を生成する。生成された電気信号は、音声処理部１８へ出力される。スピーカ６は、音声処理部１８から入力する電気信号に応じた音を出力する。
【００２６】
キー操作部７は、キャビネット２に設けられている。キー操作部７は、ソフトキー、ハードキー等のキーから構成されている。キー操作部７を構成する各キーには、実行中のプログラム等に応じた各種の機能が、割り当てられる。
【００２７】
記憶部１２は、ＲＯＭ、ＲＡＭ等から構成される。記憶部１２には、プログラム２１が記憶されている。プログラム２１は、携帯電話機１の各部を制御するための制御プログラムの他、各種（たとえば、電話、電子メール、ナビゲーション、テレビ電話、ＳＭＳ（ショートメッセージサービス）、ＳＮＳ（ソーシャルネットワーキングサービス）、ウェブブラウザ）のアプリケーション等からなる。プログラム２１は、後述される取得部３１と、画面生成部３２と、受付部３３と、プログラム実行部３４の機能を実行するためのプログラムも含む。
【００２８】
記憶部１２は、プログラム２１の実行の際、一時的に利用または生成されるデータを記憶する、ワーキング領域としても使用される。
【００２９】
制御部１１は、ＣＰＵ等から構成されている。制御部１１は、制御プログラムに従って、記憶部１２、表示部１３、操作入力部１４、撮影部１５、音声入力部１６、音声出力部１７、音声処理部１８、キー操作入力部１９、通信部２０等の携帯電話機１を構成する各部を制御することにより、各種のアプリケーションを実行する。
【００３０】
表示部１３は、液晶ディスプレイ等から構成される。表示部１３は、制御部１１からの制御信号と画像信号とに基づき、表示面３に画面を表示する。表示部１３は、液晶ディスプレイに限らず、有機ＥＬディスプレイ等、他の表示装置から構成されてもよい。
【００３１】
操作入力部１４は、指、タッチペン等（簡単のため、以下、「指」と言う。）の表示面３への接触を検出するタッチセンサ等から構成されている。タッチセンサは、上記の液晶ディスプレイと一体的に形成されることにより、タッチパネルを構成している。タッチセンサは、透明なシート状に形成され、表示面３上を覆うように配されている。
【００３２】
操作入力部１４は、指の接触による表示面３に対する操作の入力を受け付ける。操作入力部１４は、指が触れた表示面３上の位置を入力位置として検出し、この入力位置に応じ
た位置信号を制御部１１へ出力する。
【００３３】
ユーザは、指を表示面３に触れることにより、表示面３に対するタッチ、タップ、スライド、フリック等の各種の操作を行える。ここで、「タッチ」は、表示面３に指を接触させる操作である。「タップ」は、表示面３に指を接触させた後、リリース（離す）する操作である。「フリック」は、表示面３に指を接触させて弾く操作（指を接触させた後、所定速度で移動させて離す操作）である。「スライド」は、表示面３に指を接触させたまま所定距離移動させた後、タッチパネル上より指を離す操作である。
【００３４】
操作入力部１４を構成するタッチセンサは、静電容量式、超音波式、感圧式、抵抗膜式、光検知式等、各種のタッチセンサであってよい。
【００３５】
撮影部１５は、レンズ窓４から入射した光の像を撮像するＣＣＤ、ＣＭＯＳセンサ等の撮像素子、撮像素子から出力された信号にＡ／Ｄ変換を施すＡ／Ｄ変換回路、Ａ／Ｄ変換が施された後の信号にガンマ補正等の補正を適用する補正回路等から構成される。撮影部１５は、撮影により生成した画像を示すデジタル信号を、制御部１１へ送信する。
【００３６】
撮影部１５は、上記構成に代えて、または上記構成に加えてさらに、表示面３と反対の方向を撮影するよう構成されてもよい。
【００３７】
音声入力部１６は、マイクロフォン５等から構成される。音声入力部１６は、マイクロフォン５からの電気信号を、音声処理部１８へ出力する。
【００３８】
音声出力部１７は、スピーカ６等から構成される。音声出力部１７は、音声処理部１８からの電気信号を入力し、スピーカ６から音声を出力する。
【００３９】
音声処理部１８は、音声入力部１６からの電気信号にＡ／Ｄ変換等を施し、変換後のデジタルの音声信号を制御部１１へ出力する。音声処理部１８は、制御部１１からのデジタルの音声信号にデコード処理およびＤ／Ａ変換等を施し、変換後の電気信号を音声出力部１７に出力する。
【００４０】
キー操作入力部１９は、キー操作部７の各キーが押下されたときに、押下されたキーに応じた信号を制御部１１へ出力する。
【００４１】
通信部２０は、通話や通信のための電波を送受信するアンテナを備える。通信部２０は、制御部１１から入力される通話や通信のための信号を無線信号に変換し、変換された無線信号を、アンテナを介して、基地局や他の通信装置等の通信先へ送信する。また、通信部２０は、アンテナを介して受信した無線信号を制御部１１が利用できる形式の信号へ変換し、変換された信号を制御部１１へ出力する。
【００４２】
記憶部１２は、連絡先情報２２と対応リスト２３とを記憶する（図２参照）。
【００４３】
連絡先情報２２は、連絡先に関する情報である。連絡先情報２２は、たとえば、人物や組織などの連絡対象の名前、電話番号、電子メールアドレス、所在地（住所等）、ＳＮＳを利用するための接続先の情報（たとえば、接続先のＵＲＬ）、テレビ電話を利用するための接続先の情報（たとえば、接続先のアカウント名）等、所定の種目の情報である。連絡先情報２２は、この他ＦＡＸ番号、ＩＰ電話番号、各種のオンラインサービス（たとえばチャット）を利用するための接続先に関する情報の項目の情報も含む。
【００４４】
連絡先情報２２は、たとえば、連絡先の登録・編集等のためのアプリケーション（アド
レス帳等）の実行に基づき生成される。連絡先情報２２は、外部からインポートされた情報等に基づいて生成されてもよい。連絡先情報２２の生成に基づき、各連絡対象には、複数の種目の連絡先が割り当てられる。
【００４５】
図３（ａ）は、ある連絡対象Ａ１に関する連絡先情報２２（各連絡先情報２２ａ〜２２ｄ）を示す表である。各連絡先情報２２ａ〜２２ｄは、それぞれ、種目「名前」、「電子メールアドレス」、「所在地」、「テレビ電話」に属する情報である。連絡先情報２２ａ〜２２ｄは、記憶部１２に記憶されている。
【００４６】
図３（ａ）によれば、種目「電話番号」、「ＳＮＳ」に属する、連絡対象Ａ１の連絡先情報は登録されていない。即ち、種目「電話番号」、「ＳＮＳ」に属する、連絡対象Ａ１の連絡先情報は、記憶部１２に記憶されていない。
【００４７】
記憶部１２は、上記の連絡先情報２２ａ〜２２ｄ等、複数の連絡先情報２２を記憶する。記憶部１２には、連絡対象Ａ１の連絡先情報２２ａ〜２２ｄの他、さらに別の連絡先に関する連絡先情報２２を複数記憶できる。
【００４８】
以下、連絡先情報に関する構成の説明において、便宜上、種目が特定された連絡先情報を表す場合には、番号２２ａ、２２ｂ、２２ｃ、・・・を参照する。種目に関係なく、単に連絡先情報を表す場合には、番号２２を参照する。
【００４９】
図３（ｂ）は、対応リスト２３の一例を示す表である。対応リスト２３は、連絡先情報２２の種目と、そのアプリケーションの実行の際に当該種目に属する連絡先情報を利用するアプリケーションとの対応関係を示すためのリストである。
【００５０】
種目「電話番号」は、電話のアプリケーションと、ＳＭＳのアプリケーションに対応する。種目「電子メールアドレス」、「所在地」、「テレビ電話」、「ＳＮＳ」は、それぞれ、電子メールアドレスのアプリケーション、ナビゲーションのアプリケーション、テレビ電話のアプリケーション、ＳＮＳのアプリケーションに対応する。
【００５１】
これらのアプリケーションは、制御部１１（または、後述のプログラム実行部３４）が所定の起動関数を実行することにより起動される。起動関数の実行の際、所定の連絡先情報２２がこの起動関数の引数として指定された場合、制御部１１は、このアプリケーションに従った方法で連絡先情報２２を取り込み、当該アプリケーションを実行する。
【００５２】
たとえば、電話のアプリケーションに利用される連絡先に、対応リスト２３において電話のアプリケーションに対応する電話番号（連絡先情報２２）が適用され得る。この場合、制御部１１は、この電話番号を取り込み利用して電話のアプリケーションを実行する。たとえば、制御部１１は、当該電話番号に対応する接続先と通話するための処理を実行する。
【００５３】
たとえば、ＳＭＳのアプリケーションに利用される連絡先に、対応リスト２３においてＳＭＳのアプリケーションに対応する電話番号（連絡先情報２２）が適用され得る。この場合、制御部１１は、当該電話番号により特定される接続先とＳＭＳによる通信を行うための処理を実行する。
【００５４】
たとえば、電子メールのアプリケーションに利用される連絡先に、対応リスト２３に基づき対応している電子メールアドレス（たとえば連絡先情報２２ｂ）が適用され得る。この場合、制御部１１は、当該電子メールアドレスにより特定される相手へ送信する電子メールの本文を作成し送信するための処理を実行する。
【００５５】
たとえば、ナビゲーションのアプリケーションに利用される連絡先に、対応リスト２３に基づき対応している所在地の情報（たとえば連絡先情報２２ｃ）が適用され得る。この場合、制御部１１は、当該所在地の情報により特定される地点に関する情報を表示面３に表示するための処理を実行する。
【００５６】
たとえば、テレビ電話のアプリケーションに利用される連絡先に、対応リスト２３に基づき対応するテレビ電話を利用するための接続先の情報（たとえば連絡先情報２２ｄ）が適用され得る。この場合、制御部１１は、当該接続先の情報により特定される接続先とテレビ電話による通信を行うための処理を実行する。
【００５７】
たとえば、ＳＮＳのアプリケーションに利用される連絡先に、対応リスト２３に基づき対応している、ＳＮＳを利用するための接続先の情報（連絡先情報２２）が適用され得る。この場合、制御部１１は、当該接続先の情報により特定される接続先へ接続し、当該アプリケーションに基づきＳＮＳを利用するための処理を実行する。
【００５８】
たとえば、その他所定のオンラインサービスを利用するためのアプリケーションに利用される連絡先に、対応リスト２３に基づき対応している所定の種目の連絡先情報２２が適用され得る。この場合、制御部１１は、当該アプリケーションに基づき、適用された連絡先情報２２により特定される接続先へ接続し、当該アプリケーションに基づき当該オンラインサービスを利用するための処理を実行する。
【００５９】
図４（ａ）は、起動制御処理を示すフローチャートである。図４（ｂ）は、起動制御処理の実行画面を示す図である。
【００６０】
制御部１１は、起動制御処理を実行するため、取得部３１と、画面生成部３２と、受付部３３と、プログラム実行部３４とを備える（図２参照）。取得部３１は、起動制御処理の実行の際、連絡先情報２２、アプリケーション、および対応リスト２３に関する各種の情報を取得する処理を実行する。画面生成部３２は、アイコン等の画像を生成し、これら画像を含む起動制御処理の実行画面等の画面を構成するとともに、構成した画面を表示面３に表示する処理を実行する。受付部３３は、ユーザによる起動制御処理に関する画面に対する操作を受け付ける処理を実行する。プログラム実行部３４は、ユーザにより選択されたアプリケーションを起動する処理を実行する。
【００６１】
以下、図４を参照し、起動制御処理について説明する。
【００６２】
ステップＳ１０１において、取得部３１は、連絡先情報２２が登録された連絡対象の一覧を取得する。ステップＳ１０２において、取得部３１は、対応リスト２３に載せられたアプリケーションの一覧を取得する。
【００６３】
連絡対象の一覧は、予め作成されて記憶部１２に記憶されていてもよいし、あるいは、取得部３１が、連絡先情報２２を記憶部１２から読み込むことにより、ステップＳ１０１の処理が実行される毎に生成されてもよい。同様に、アプリケーションの一覧は、予め作成され記憶部１２に記憶されていてもよいし、あるいは、ステップＳ１０２の処理が実行される毎に生成されてもよい。
【００６４】
ステップＳ１０３において、画面生成部３２は、図４（ｂ）に示すように、第１画面４１と第２画面４２を含む実行画面を構成して表示面３に表示する。画面生成部３２は、取得部３１により取得された連絡対象の一覧に基づき、連絡対象の一覧を示す第１画面４１を構成し、表示面３に表示する。画面生成部３２は、取得部３１により取得されたアプリ
ケーションの一覧に基づき、アプリケーションの一覧を示す第２画面４２を構成し、表示面３に表示する。
【００６５】
第１画面は、連絡対象を選択するための複数のアイコン（以下、「連絡アイコン」という。）４３を、連絡対象の一覧を構成する画像として含む。図４（ｂ）に示す複数の連絡アイコン４３は、図３（ａ）に示された連絡対象Ａ１に対応する連絡アイコン４３ａを含む１２個の連絡アイコン４３から構成される。
【００６６】
第２画面は、アプリケーションを選択するための複数のアイコン（以下、「アプリケーションアイコン」という。）４４を、アプリケーションの一覧を構成する画像として含む。たとえば、種目「電子メールアドレス」に対応する電子メールのアプリケーションを示すアプリケーションアイコン４４ａが、複数のアプリケーションアイコン４４のうちの１つを構成する。
【００６７】
ステップＳ１０４において、受付部３３は、連絡対象を選択するための第１画面に対する操作（以下、第１操作という。）と、アプリケーションを選択するための第２画面に対する操作（以下、第２操作という。）を受け付ける選択受付処理を実行する。
【００６８】
図５は、選択受付処理ルーチンを示すフローチャートである。選択受付処理ルーチンは、ステップＳ１０４の選択受付処理の内容を示す。
【００６９】
図６（ａ）および図６（ｂ）は、選択受付処理ルーチンが実行される際の、起動制御処理の実行画面を示す図である。
【００７０】
選択受付処理ルーチンにおいて、受付部３３は、連絡対象を選択するための第１操作がなされたか否かを判定する（Ｓ１１１）。操作入力部１４が、第１画面４１が表示されている領域において、複数の連絡アイコン４３のうち何れかを選択する操作（タッチ）を検出した場合、受付部３３は、連絡対象を選択するための第１操作がなされたと判定する（Ｓ１１１：ＹＥＳ）。この場合、受付部３３は、操作入力部１４からの位置信号に基づきタッチされたと特定される連絡アイコン４３に対応する連絡対象が選択されたと判定して、選択された連絡対象を示す情報を、記憶部１２に記憶する（Ｓ１１２）。連絡対象を示す情報は、後のステップＳ１０５、Ｓ１０６の処理（図４（ａ））において利用される。操作入力部１４により複数の連絡アイコン４３の何れかを選択する操作が検出されない場合、受付部３３は後述のステップＳ１１４の処理へ進む。
【００７１】
たとえば、図６（ａ）に示すように、連絡アイコン４３ａがタッチされた場合（Ｓ１１１：ＹＥＳ）、タッチされた当該連絡アイコン４３ａに対応する連絡対象Ａ１を示す情報が記憶部１２に記憶される（Ｓ１１２）。
【００７２】
図５に示す選択受付処理ルーチンが実行される間に、第１操作とは異なる所定操作（たとえば、連絡アイコン４３をロングタップする操作）に基づき、当該所定操作の対象となった連絡アイコン４３に対応する連絡先情報２２を表示部１３に表示する処理が制御部１１により実行されてもよい。
【００７３】
記憶部１２に連絡対象を示す情報が記憶された後、受付部３３は、連絡対象とアプリケーションとの両方が選択されたか否かを判定する（Ｓ１１３）。連絡対象を示す情報とアプリケーションを示す情報とが、ステップＳ１１２とＳ１１５（後述）との処理に基づき記憶部１２に記憶されている場合（Ｓ１１３：ＹＥＳ）、受付部３３は、ユーザによる連絡対象とアプリケーションの両方の選択が完了したとして、選択受付処理ルーチンを終了する。
【００７４】
ユーザは、連絡対象を選択するための第１画面に対する第１操作を複数回行うことができる。この場合、前回以前の第１操作に基づく連絡対象の選択は取り消される。受付部３３は、新たになされた別の連絡対象を選択するための第１操作に基づき（Ｓ１１１：ＹＥＳ）、記憶部１２へ記憶した連絡対象を示す情報を、新たに選択された当該別の連絡対象を示す情報へ更新する（Ｓ１１２）。
【００７５】
更新の後、連絡対象が選択されたときに、未だアプリケーションが選択されていない場合（Ｓ１１３：ＮＯ）、受付部３３はステップＳ１１４の処理へ進む。
【００７６】
ステップＳ１１４において、受付部３３は、アプリケーションを選択するための第２操作がなされたか否かを判定する。操作入力部１４が、第２画面４２が表示されている領域において、複数のアプリケーションアイコン４４の何れかを選択する操作を検出した場合、受付部３３は、アプリケーションを選択するための第２操作がなされたと判定する（Ｓ１１４：ＹＥＳ）。この場合、受付部３３は、操作入力部１４からの位置信号に基づきタッチされたと特定されるアプリケーションアイコン４４に対応するアプリケーションを示す情報を、記憶部１２に記憶する（Ｓ１１５）。アプリケーションを示す情報は、後のステップＳ１０５、Ｓ１０６の処理において利用される。
【００７７】
たとえば、図６（ａ）と図６（ｂ）に示すように、連絡アイコン４３ａがタッチされ、さらに続けてアプリケーションアイコン４４ａがタッチされた場合（Ｓ１１４：ＹＥＳ）、選択が受け付けられた連絡アイコン４３ａと電子メールのアプリケーションを示す情報が記憶部１２に記憶される（Ｓ１１５）。
【００７８】
制御部１１は、連絡対象とアプリケーションの選択の状態をユーザへ通知するため、選択受付ルーチンの実行中、ステップＳ１１２およびＳ１１５の処理に基づき記憶部１２に記憶される連絡対象を示す情報またはアプリケーションを示す情報を監視する。画面生成部３２は、制御部１１が連絡対象を示す情報またはアプリケーションを示す情報が記憶部１２に記憶されたことを検出した場合、図６（ａ）または図６（ｂ）に模式的に示すように、選択された連絡アイコン（４３ａ）とアプリケーションアイコン（４４ａ）を強調表示する（彩度を上げる、拡大する等）。
【００７９】
連絡対象とアプリケーションの選択の状態をユーザへ通知するための処理は、アイコン（連絡アイコン４３、アプリケーションアイコン４４）の強調表示に限られる必要はなく、また、画面生成部３２による処理に限られる必要はない。連絡対象とアプリケーションの選択の状態をユーザへ通知するための処理は、たとえば、強調表示とは異なる視覚的効果、テキストによるメッセージの通知、振動や音による通知等、各種の手段により、連絡対象を選択するための操作が受け付けられたことが通知されてよい。強調表示等、選択操作が受け付けられたことを通知する処理は省かれてもよい。
【００８０】
記憶部１２にアプリケーションを示す情報が記憶された後、受付部３３は、上記ステップＳ１１３の処理と同様に、連絡対象とアプリケーションとの、両方が選択されたか否かを判定する（Ｓ１１６）。連絡対象とアプリケーションの両方が選択された場合（Ｓ１１６：ＹＥＳ）、選択受付処理ルーチンの処理（図５。図４（ａ））を終了する。連絡対象が選択されていない場合（Ｓ１１６：ＮＯ）、受付部３３は、ステップＳ１１１の処理を実行する。
【００８１】
ステップＳ１１２の処理と同様に、ステップＳ１１５において、アプリケーションを選択する第２操作が複数回検出された場合、受付部３３は、記憶部１２が記憶しているアプリケーションを示す情報を適宜更新する。
【００８２】
ステップＳ１０４の選択受付処理（選択受付処理ルーチン）の実行が完了した後、取得部３１は、第２操作により選択されたアプリケーションに対応する種目に属する、第１操作により選択された連絡対象の連絡先情報２２を取得する（Ｓ１０５）。
【００８３】
具体的には、取得部３１は、記憶部１２に記憶されたアプリケーションを示す情報（Ｓ１１５参照）を読み込み、対応リスト２３に基づき当該アプリケーションに対応する種目を特定する。次に、取得部３１は、記憶部１２に記憶された連絡対象を示す情報（Ｓ１１２参照）に基づき第１操作により選択された連絡対象を特定し、当該連絡対象における特定された種目に属する連絡先情報２２を取得する。
【００８４】
たとえば、図６（ｂ）に示す例の場合、取得部３１は、連絡アイコン４３ａに対応する連絡対象Ａ１（図３（ａ））の、種目「電子メールアドレス」に属する連絡先情報２２ｂ「ａ＠ｂｃ．ｄｅ」を取得する（Ｓ１０５）。
【００８５】
取得部３１が連絡先情報２２を取得した後、プログラム実行部３４は、選択されたアプリケーションを実行するとともに、当該アプリケーションの連絡先に選択された連絡先情報を適用する（Ｓ１０６）。アプリケーションが実行された後、図４（ａ）に示す起動制御処理は終了する。
【００８６】
図６（ｃ）は、起動制御処理によって起動されたアプリケーションの実行画面を示す図である。プログラム実行部３４は、図６（ａ）と図６（ｂ）に例示される選択操作に基づき、電子メールのアプリケーションに利用される連絡先に、連絡先情報２２ｂである電子メールアドレス「ａ＠ｂｃ．ｄｅ」を適用する。この結果、図６（ｃ）に示すように、連絡先情報２２ｂ宛てに電子メールを送信するための、電子メールのアプリケーションの実行画面４５ａが表示面３に表示される。
【００８７】
図７（ａ）および図７（ｂ）は、選択受付処理ルーチンが実行された際の、起動制御処理の実行画面を示す図である。図７（ｃ）は、起動制御処理に起動されたアプリケーションの実行画面を示す図である。
【００８８】
図６（ａ）〜（ｃ）に示す例では、第１操作の後に第２操作がなされる。この順番とは逆に、図７（ａ）と図７（ｂ）に示すように第２操作の後に第１操作がなされる場合にも、受付部３３により、これら第１操作と第２操作が受け付けられる。つまり、受付部３３は、電子メールのアプリケーションを選択する第２操作（図７（ａ））を受け付けた後（Ｓ１１４：ＹＥＳ→Ｓ１１５）、連絡対象Ａ１を選択する第１操作を受け付ける（Ｓ１１１：ＹＥＳ→Ｓ１１２）。この場合、ステップＳ１０５、Ｓ１０６の処理は、図６（ａ）〜（ｃ）に示す例と同様に実行される。この結果、制御部１１は、図７（ｃ）に示すような、連絡先情報２２ｂ宛てに電子メールを送信するための、電子メールのアプリケーションの実行画面４５ａを表示面３に表示する。
【００８９】
選択受付処理ルーチンにおいて選択されたアプリケーションに対応する種目に属する連絡先情報が、選択された連絡対象の連絡先情報として記憶部１２に登録されていない場合は、取得部３１は連絡先情報を取得せず（Ｓ１０５）、プログラム実行部３４は、選択されたアプリケーションの連絡先に、連絡先情報を適用しない（Ｓ１０６）。たとえば、図３（ａ）に示す例では、連絡対象Ａ１の連絡先情報として、種目「電話番号」と「ＳＮＳ」に属する連絡先情報は登録されていない。たとえば電話のアプリケーションが第２操作により選択された場合、プログラム実行部３４は、電話のアプリケーションの連絡先に、電話番号（種目「電話番号」の連絡先情報２２）を適用せずに実行する。
【００９０】
あるいは、選択受付処理ルーチンにおいて選択されたアプリケーションに対応する種目に属する連絡先情報が、選択された連絡対象の連絡先情報として登録されていない場合、ステップＳ１０６におけるアプリケーションの起動をキャンセルする構成が採られてもよい。
【００９１】
以上、本実施の形態によれば、人物や組織等の連絡対象に対応する連絡アイコン４３を選択する第１操作と、アプリケーションに対応するアプリケーションアイコン４４を選択する操作の両方が受け付けられたことに基づいて、アプリケーションが実行される。当該アプリケーションの実行の際、このアプリケーションに利用される連絡先に、選択された連絡対象の連絡先情報２２が適用される。
【００９２】
ユーザは、複数の連絡アイコン４３と、複数のアプリケーションアイコン４４とを見ながら所望の組み合わせを選択する簡易な操作により、連絡先情報を利用するアプリケーションを起動できる。よって、ユーザは、各種のアプリケーションを円滑に起動できる。
【００９３】
さらに、本実施の形態によれば、選択された連絡対象とアプリケーションとに基づき、取得部３１が当該アプリケーションに利用される連絡先情報２２を取得する。よって、ユーザによる連絡先情報２２を指定する操作は不要であり、操作が簡易となる。
【００９４】
さらに、本実施の形態によれば、連絡先対象を選択するための第１操作とアプリケーションを選択するための第２操作のうち何れが先になされたとしても上記のアプリケーションの実行が可能な構成が採られている。ユーザは、連絡対象とアプリケーションを、予め決められた一連の操作（たとえば、アドレス帳を開き、さらに所定の手順で連絡先情報を指定してアプリケーションを起動する操作）の手順に従うことなく、選択できる。
【００９５】
＜変更例１＞
本変更例で説明するように、起動制御処理は、複数の連絡対象または複数のアプリケーションの選択の選択を受け付けるよう構成されてもよい。
【００９６】
図８は、本変更例に係る、起動制御処理を示すフローチャートである。図９は、本変更例に係る、選択受付処理ルーチンを示すフローチャートである。
【００９７】
図８に示すフローチャートにおいて、図４（ａ）に示すフローチャートに比較して、ステップＳ１０５とＳ１０６との間にステップＳ１２１の処理が挿入され、さらにステップＳ１２２〜Ｓ１２５の処理が追加されている。ステップＳ１２１〜Ｓ１２５の処理は、プログラム実行部３４が実行する。
【００９８】
図９に示すフローチャートは、図５に示すフローチャートにおけるステップＳ１１２、Ｓ１１５の処理が、それぞれ、受付部３３により実行されるステップＳ１３１、Ｓ１３２の処理に置換されている。
【００９９】
図８に示す起動制御処理のステップＳ１０４において、図９に示す選択受付処理ルーチンが実行される。ステップＳ１３１の処理は、当該処理が選択受付処理ルーチンの実行開始後に初めて実行される場合には、上記実施の形態におけるステップＳ１１２の処理（図５）と同様である。
【０１００】
２回目以降にステップＳ１３１の処理が実行される場合には、受付部３３は、ステップＳ１１２の処理と異なり、新たに選択された連絡対象を追加して記憶部１２に記憶する。つまり、ステップＳ１３１において、受付部３３は、以前に実行したステップＳ１３１の処理に基づき記憶部１２に記憶した連絡対象を示す情報を、消去せず保持する。
【０１０１】
図１０（ａ）および図１０（ｂ）は、本変更例に係る、起動制御処理の実行画面を示す図である。図１０（ｃ）は、起動制御処理に基づき起動されたアプリケーションの実行画面を示す図である。
【０１０２】
連絡アイコン４３ａに対応する連絡対象Ａ１を選択する第１操作がなされ、この後、連絡アイコン４３ｂに対応する連絡対象Ａ２を選択する第１操作がなされ得る。この場合、２回目のステップＳ１３１の処理の実行時、受付部３３は、すでに記憶部１２に記憶している連絡対象Ａ１を示す情報を削除せず、２番目に選択された連絡対象Ａ２を示す情報を、追加して記憶する。この後、図１０（ｂ）に示すように電子メールのアプリケーションを選択するための第２操作がなされた場合（Ｓ１１４：ＹＥＳ）、連絡対象とアプリケーションとの両方が選択されたとして（Ｓ１１６：ＹＥＳ）、選択受付処理ルーチンの実行は終了する。当該選択受付処理ルーチンの実行終了時、２つの連絡対象Ａ１、Ａ２を示す情報が記憶部１２に記憶されている。
【０１０３】
プログラム実行部３４は、ステップＳ１２１において、複数の連絡対象または複数のアプリケーションが選択されたか否かを判定する。図１０（ａ）、（ｂ）に示す例の場合、プログラム実行部３４は、電子メールのアプリケーションの連絡先に、取得された連絡先情報、すなわち連絡対象Ａ１、Ａ２の電子メールアドレス（連絡先情報２２）を割り振る（Ｓ１２３）。
【０１０４】
制御部１１は、電子メールアドレスにより特定される２人の相手へ送信する電子メールの本文を作成、送信するための実行画面４５ｂを、図１０（ｃ）に示すように表示面３に表示する。
【０１０５】
ステップＳ１３２の処理では、受付部３３は、ステップＳ１３１と同様に、選択されたアプリケーションを示す情報を追加して記憶部１２に記憶させる。つまり、ステップＳ１３２の処理が選択受付処理ルーチンの実行開始後に初めて実行される場合には、ステップＳ１１５の処理（図５）と同じ処理を実行し、２回目以降にステップＳ１３２の処理が実行される場合には、受付部３３は、ステップＳ１３１の場合と同様に、新たに選択された連絡対象を、追加して記憶部１２に記憶する。
【０１０６】
図１１（ａ）および図１１（ｂ）は、本変更例に係る起動制御処理の実行画面を示す図である。図１１（ｃ）は、起動制御処理に基づき起動されたアプリケーションの実行画面を示す図である。
【０１０７】
図１１（ａ）に示すように、アプリケーションアイコン４４ｂに対応するテレビ電話のアプリケーションを選択するための第２操作がなされた後、さらに、アプリケーションアイコン４４ｃに対応するナビゲーションのアプリケーションを選択するための第２操作がなされ得る。この場合、受付部３３は、ステップＳ１３２の処理を２回実行することにより、２つの情報、即ちテレビ電話のアプリケーションを示す情報とナビゲーションのアプリケーションを示す情報とを、記憶部１２に記憶する（Ｓ１３２）。
【０１０８】
この後、図１１（ｂ）に示すように連絡アイコン４３ａを選択する第１操作がなされた場合（Ｓ１１１：ＹＥＳ）、連絡対象とアプリケーションとの両方が選択されたとして（Ｓ１１３：ＹＥＳ）、選択受付処理ルーチンの実行は終了する。
【０１０９】
この例の場合、プログラム実行部３４は、複数のアプリケーションが選択されたとして（Ｓ１２１：ＹＥＳ→Ｓ１２２：ＮＯ）、選択された２つのアプリケーションの実行画面を表示するため、各実行画面のそれぞれに対応する２つの領域Ｒ１、Ｒ２を表示面３上に
割り当てる（Ｓ１２４）。テレビ電話のアプリケーションの実行画面を表示するために領域Ｒ１が割り当てられ、ナビゲーションのアプリケーションの実行画面を表示するために領域Ｒ２が割り当てられる。
【０１１０】
実行画面を表示するための領域の割り当てが行われた後、プログラム実行部３４は、選択された２つのアプリケーションを起動するとともに、各アプリケーションに利用される連絡先に、選択された連絡対象の連絡先情報すなわち取得された連絡先情報を適用する（Ｓ１２５）。この結果、図１１（ｃ）に示すように、テレビ電話のアプリケーションの実行画面４５ｃが領域Ｒ１に表示される。たとえば、領域１に、テレビ電話の発呼に応じた通信相手の通話相手が映される。さらに、ナビゲーションのアプリケーションの実行画面４５ｄが領域Ｒ２に表示される。たとえば、領域２に連絡先の所在地が示された地図が表示される。
【０１１１】
１つの連絡対象と１つのアプリケーションが選択された場合（Ｓ１２１：ＮＯ）、プログラム実行部３４は、上述のステップＳ１０６の処理を実行する。
【０１１２】
３つ以上のアプリケーションが第２操作によって選択された場合、プログラム実行部３４は、選択されたアプリケーションと同じ数の領域を表示面３上に割り当て、各領域に各実行画面を表示する。
【０１１３】
以上、本変更例の構成によれば、複数の連絡対象を選択する第１操作が受け付けられた場合、当該複数の連絡対象の連絡先情報２２が、第２操作により選択されたアプリケーションの連絡先に適用される。
【０１１４】
従来、１つのアプリケーションに複数の連絡先を適用する場合、連絡先を指定する数と同じ数の連絡先の選択操作を行う必要があった。このような複数回の操作はユーザにとって煩わしい。これに対し、本変更例の構成では、１つのアプリケーションへ複数の連絡先情報を適用するために、ユーザは所望の複数の連絡アイコン４３を選択する操作を行えばよく、操作が簡易である。
【０１１５】
さらに、本変更例の構成によれば、複数のアプリケーションを選択するための第２操作が受け付けられた場合、当該複数のアプリケーションに利用される連絡先に、第１操作により選択された連絡対象の連絡先がそれぞれ適用される。
【０１１６】
従来、複数のアプリケーションの起動には、各アプリケーションを起動するための各々の操作が必要である。さらに、各アプリケーションに連絡先情報を取り込むには、連絡先情報２２を指定する操作を各アプリケーションに従った手順で行う必要があり、このような操作はユーザにとって煩わしい。これに対し、本変更例の構成では、各アプリケーションに利用される連絡先に連絡先情報２２を適用するために、ユーザは、複数のアプリケーションアイコン４４を含む第２画面に対して所望の複数のアプリケーションアイコン４４を選択する操作を行えばよく、操作が簡易である。
【０１１７】
プログラム実行部３４は、複数のアプリケーションの実行画面のうち所定の実行画面を表示面３に表示し、残りの実行画面を非表示とする構成が採られてもよい。この場合、プログラム実行部３４は、非表示とされるアプリケーションをバックグラウンド処理として実行する。ユーザは、全ての実行画面が表示面３に表示される場合に比較して、広い表示領域に表示されたアプリケーションの実行画面を閲覧できる。
【０１１８】
＜変更例２＞
上記変更例１の構成によれば、第１操作により複数の連絡対象が選択された場合、第２
操作により選択された１つのアプリケーションの実行にこれら複数の連絡対象の連絡先情報２２が利用される。これに対し、本変更例において説明するように、第１操作により複数の連絡対象が選択された場合、第２操作により選択された１つのアプリケーションについて、同じアプリケーションが、選択された連絡対象と同じ数起動されるよう構成されてもよい。
【０１１９】
図１２（ａ）は、本変更例に係る、起動制御処理のフローチャートを示す。図１２（ｂ）は、本変更例に係る、起動制御処理に基づき起動されたアプリケーションの実行画面と示す図である。
【０１２０】
本変更例における選択受付処理ルーチンは、上記変更例１（図９）における選択受付処理ルーチンと同様である。
【０１２１】
図１２（ａ）のフローチャートは、図８のフローチャートに比較して、ステップＳ１２３の処理が、ステップＳ１４１、Ｓ１４２の処理に置き換えられている。図１２（ａ）のフローチャートにおいて、図８のフローチャートと重複するステップの処理の図示は、省略されている。
【０１２２】
図１０（ａ）、（ｂ）に示す第１操作と第２操作がなされた場合、ステップＳ１０４の選択受付処理によって、２つの連絡対象Ａ１、Ａ２の選択が受け付けられ、さらに電子メールのアプリケーションの選択が受け付けられる。この場合、プログラム実行部３４は、ステップＳ１４１において、選択されたアプリケーションの実行画面を表示するための領域を、選択された連絡対象の数（２つ）だけ表示面３上に割り当てる（領域Ｒ１、Ｒ２）。
【０１２３】
領域の割り当ての後、プログラム実行部３４は、選択されたアプリケーションを２つ起動するとともに、当該アプリケーションの２つにおいて利用される連絡先に、選択された２つ連絡対象の連絡先情報２２を割り振る（Ｓ１４２）。この結果、連絡先情報がそれぞれ適用された状態の、２つの電子メールのアプリケーションの実行画面面４５ｅ、４５ｆが、２つの領域Ｒ１、Ｒ２に表示される（図１２（ｂ））。
【０１２４】
以上、本変更例の構成によれば、選択された複数のアプリケーションの連絡先に、選択された連絡対象の連絡先情報２２が割り振られる。複数の連絡対象の連絡先情報２２のそれぞれに対応する同じアプリケーション（たとえば、電子メール）を、１つのアプリケーションの選択により、まとめて起動することができる。
【０１２５】
＜変更例３＞
図１３は、本変更例に係る、選択受付処理ルーチンを示すフローチャートである。図１３のフローチャートにおいて、上記実施の形態に係る選択受付処理ルーチン（図５）を示すフローチャートに比較し、ステップＳ１１２とステップＳ１１３の間にステップＳ１５１の処理が挿入され、ステップＳ１１５とステップＳ１１６の間にステップＳ１５２の処理が挿入されている。
【０１２６】
ステップＳ１５１において、受付部３３は、選択されている連絡対象の連絡先情報２２を利用できるアプリケーション、すなわち当該連絡対象が有する連絡先情報に対応リスト２３よって対応しないアプリケーションを選択する第２操作を無効化する。選択の無効化により、選択が無効化された当該アプリケーションに対応するアプリケーションアイコン４４をタッチする操作が検出された場合、ステップＳ１１４においてＮＯと判定される。
【０１２７】
図３（ａ）に示す例では、選択された連絡対象における未登録の種目は「電話番号」と
「ＳＮＳ」である。この場合、受付部３３は、種目「電話番号」に対応する電話のアプリケーションとＳＭＳのアプリケーション、種目「ＳＮＳ」に対応するＳＮＳのアプリケーションの、第２操作による選択を無効化する（Ｓ１５１）。
【０１２８】
図１４（ａ）および図１４（ｂ）は、本変更例に係る、起動制御処理の実行画面を示す図である。図１４（ｃ）は、本変更例に係る、起動制御処理に基づき起動されたアプリケーションの実行画面を示す図である。
【０１２９】
制御部１１は、ステップＳ１５１の処理に基づくアプリケーションの第２操作による選択の有効または無効の状態を監視する。画面生成部３２は、制御部１１が選択が無効化されているアプリケーションを検出した場合、無効化されたアプリケーションに対応するアプリケーションアイコン４４の表示の彩度を低くする。図１４（ａ）に示す例では、電話、ＳＭＳおよびＳＮＳのアプリケーションに対応する３つのアプリケーションアイコン４４ｄ、４４ｅ、４４ｆは、彩度が下げられた状態で表示される。無効化されたアプリケーションアイコン４４ｄ、４４ｅ、４４ｆをタッチする操作が検出された場合、受付部３３は、ステップＳ１１１の判定処理（図１３）においてＮＯと判定する。
【０１３０】
選択が無効化されていないアプリケーションに対応するアプリケーションアイコン４４ａ、４４ｂ、４４ｄは、通常の状態で表示される。図１４（ｂ）に示す例のように、有効化されている電子メールのアプリケーションアイコン４４ａをタッチする操作が検出された場合、ステップＳ１１４においてＹＥＳと判定され、この結果、電子メールのアプリケーションの実行画面４５ｇが表示面３に表示される（図１４（ｃ））。
【０１３１】
ステップＳ１５２の処理において、ステップＳ１５１の処理と略同様にして、受付部３３は、選択されているアプリケーションが利用できる連絡先情報を有しない連絡対象、すなわち対応リスト２３によって当該アプリケーションに対応する種目の連絡先情報を有しない連絡対象を選択する第１操作を無効化する。
【０１３２】
画面生成部３２は、ステップＳ１５１の処理の際と同様に、選択が無効化されている連絡対象に対応する連絡アイコンの彩度を低くする。
【０１３３】
図１５（ａ）および図１５（ｂ）は、本変更例に係る、起動制御処理の実行画面を示す図である。図１５（ｃ）は、本変更例に係る、起動制御処理に基づき起動されたアプリケーションの実行画面を示す図である。
【０１３４】
図１５（ａ）に示すように、電子メールのアプリケーションが第２操作により選択された場合、受付部３３は、電子メールのアプリケーションに対応しない種目「電子メールアドレス」の連絡先情報を有しない連絡対象の選択を無効化する。
【０１３５】
図３（ａ）の場合、連絡対象Ａ１の連絡先情報２２ｂは、種目「電子メールアドレス」に属する連絡先情報として登録されている。従って、アプリケーションアイコン４４ａの選択の後において、連絡対象Ａ１を選択する第１操作は有効化されている（図１５（ｂ））。連絡対象Ａ１が選択された場合、選択された連絡対象へ電子メールを送信するための画面である電子メールのアプリケーションの実行画面４５ｇが、表示面３に表示される（図１５（ｃ））。
【０１３６】
たとえば無効化された連絡アイコン４３ｃ（図１５（ｂ））をタッチする操作が検出された場合、受付部３３は、ステップＳ１１１の判定処理においてＮＯと判定する。
【０１３７】
連絡先対象が、ある種目の連絡先情報を有しない場合がある。図３（ａ）に示す例では
、連絡対象Ａ１は、種目「電話番号」、「ＳＮＳ」に属する連絡先情報を有しない。従って、連絡対象Ａ１が選択された状態において、電話のアプリケーションを選択する第２操作は無効化される。
【０１３８】
以上、本変更例の構成によれば、ユーザは、選択した連絡対象の連絡先情報２２を利用できるアプリケーションを、または選択したアプリケーションが利用できる連絡先情報を有する連絡対象を、簡易に選択できる。
【０１３９】
本変更例において、選択が無効化されたアイコン（４３、４４）の彩度が下げられるが、これに限らず、アイコンの選択の可否（有効または無効）が各種の手段により通知されるよう構成が採られてよい。たとえば、選択が有効なアイコン（４３、４４）が強調表示されてよい。
【０１４０】
＜その他＞
以上、本発明の実施の形態および変更例について説明したが、本発明は、上記実施の形態等によって何ら制限されるものではなく、また、本発明の実施の形態も、上記以外に種々の変更が可能である。
【０１４１】
上記実施の形態および変更例１〜３では、第１画面４１において複数の連絡アイコン４３によって連絡対象の一覧が示され、第２画面４２において複数のアプリケーションアイコン４４によって連絡対象の一覧が示される。しかしながら、図１６（ａ）および図１６（ｂ）に示すように、連絡アイコン４３または（および）アプリケーションアイコン４４に代えて、チェックボックスが表示されてもよい。この例において、チェックボックスをチェックする操作が、第１操作または第２操作に対応する。連絡対象の一覧とアプリケーションの一覧との両方がチェックボックス付きの表形式で示されてもよい。
【０１４２】
連絡対象またはアプリケーションを選択するための操作（第１操作、第２操作）は、上記の如くチェックボックスをチェックする操作の他、たとえば図１７（ａ）に示すように１つ以上の連絡アイコンをスライドによって囲む操作（破線はスライドの軌跡を表す）など、各種の操作による選択であってよい。図１７（ａ）は、連絡対象を選択する例が示されているが、当該構成は、アプリケーションを選択するための第２操作にも適用できる。
【０１４３】
上記実施の形態および変更例１〜３において、第１画面４１に表示される１つの連絡アイコン４３は、１つの連絡対象に対応する。しかしながら、たとえば、図１７（ｂ）に示すように、複数の連絡対象に対応する連絡アイコン４３ｄ、４３ｅ、４３ｆが第１画面４１に表示される構成が採られてもよい。連絡アイコン４３ｄ、４３ｅ、４３ｆの各々には、予め複数の連絡対象が対応づけられている。ユーザは、１つの連絡アイコンを選択することにより、複数の連絡対象をまとめて選択できる。
【０１４４】
上記実施の形態および変更例１〜３の構成によれば、各連絡アイコン４３は、１つの連絡対象に対応するが、連絡アイコン４３は複数の連絡対象に対応してもよい。
【０１４５】
たとえば、選択受付処理において、１つ以上の連絡対象とアプリケーションの選択を受けた後に、当該アプリケーションの実行を指示する操作を受け付ける実行キー４６が表示面３に表示される構成が可能である。受付部３３は、実行キー４６に対する操作が受け付けられるまでは、第１画面４１における第１操作により複数の連絡対象を選択するための操作を受け付けるとともに、第２画面４２における第２操作により複数のアプリケーションを選択するための操作を受け付ける。
【０１４６】
たとえば、図１８（ａ）に示すように、２つのアプリケーション（ＳＮＳ、ナビゲーシ
ョン）と２つの連絡対象Ａ２、Ａ３が選択された後に実行キー４６に対する操作がなされ得る。この場合、プログラム実行部３４は、選択された２つのアプリケーションを起動するとともに、各アプリケーションに利用される連絡先に、取得された２つ連絡先情報を割り振る。この結果、制御部１１は、図１８（ｂ）に示すように、２つの連絡対象の連絡先情報２２が利用されるＳＮＳの実行画面４５ｈを領域Ｒ１に表示するとともに、２つの連絡対象の連絡先情報２２が利用されるナビゲーションの実行画面４５ｉを領域Ｒ２に表示する。
【０１４７】
上記変更例３の構成は、上記変更例１、２へ適用可能である。複数の連絡対象が選択されている状態においては、受付部３３は、選択された複数の連絡対象のうちいずれかまたは全ての連絡対象の連絡先情報２２を利用できないアプリケーションの選択を無効化する。複数のアプリケーションが選択されている状態においては、受付部３３は、選択された複数のアプリケーションのうちいずれかまたは全ての連絡対象の連絡先情報２２を利用できない連絡対象の選択を無効化する。この場合、たとえば、選択が有効なアイコン（４３、４４）が強調表示される構成が採られてよい。
【０１４８】
上記実施の形態および変更例１〜３では、連絡先情報２２やアプリケーションは、記憶部１２に記憶されるが、携帯電話機１の外部の記憶部に記憶される構成が採られてもよい。たとえば、通信網を介して接続されたサーバ等の記憶部に記憶されてよい。この場合、取得部３１は、適宜、通信網を介した通信により、連絡先情報２２やアプリケーションに関する必要な情報を取得する。
【０１４９】
上記実施の形態および変更例１〜３では、アプリケーションの連絡先に、連絡先情報２２が適用される。しかしながら、プログラム実行部３４が、アプリケーションの連絡先に、連絡先情報２２に代えて連絡対象を示す情報を適用する構成が採られてもよい。この場合、プログラム実行部３４は、実行する当該アプリケーションに従った方法で、選択された連絡対象の所定の種目の連絡先情報を取得し、さらに、取得した連絡先情報を実行中の当該アプリケーションの連絡先として適用する。
【０１５０】
本実施の形態における携帯電話機１は、１つの表示面３を備える。しかしながら、本実施の形態の構成は、複数の表示面３を備える携帯電話機１へも適用できる。たとえば、携帯電話機１が２つの表示面３を備える場合、起動制御処理に基づく第１画面と第２画面が、それぞれの表示面に表示される構成が採られることが可能である。たとえば、２つのアプリケーションを選択するための第２操作が受け付けられた場合、これら２つのアプリケーションの実行画面を表示するための領域のそれぞれが、それぞれの表示面に割り当てられる。
【０１５１】
本実施の形態において、アプリケーションは、アイコン（連絡アイコン４３、アプリケーションアイコン４４）をタッチする操作（第１操作、第２操作）に基づき起動される。アプリケーションは、タッチする操作以外の操作に基づいて起動されるよう構成されてよい。
【０１５２】
たとえば、図１９（ａ）に示すように、連絡アイコン４３ａからアプリケーションアイコン４４ａへ指をスライドする操作がなされたことに基づいてアプリケーションが起動されるよう構成されてよい。この場合、連絡アイコン４３ａを指でタッチする操作が第１操作に対応し、アプリケーションアイコン４４ａ上で指をリリースする操作が第２操作に対応する。図１９（ｂ）に示すように、図１９（ａ）に示す例とは逆方向へ指をスライドする操作に基づいてアプリケーションが起動されるよう構成されてよい。この場合、アプリケーションアイコン４４ａを指でタッチする操作が第２操作に対応し、連絡アイコン４３ａ上で指をリリースする操作が第１操作に対応する。
【０１５３】
上記実施の形態および変更例１〜３において、起動制御処理の実行画面は、任意のタイミングで実行開始されてよい。たとえば、アドレス帳の一覧やアプリケーションの一覧が表示面３に表示されているときに、ユーザによりなされる所定の操作が受け付けられることに基づいて起動制御処理の実行画面が表示面３に表示されてもよい。
【０１５４】
図２０（ａ）は、アドレス帳の一覧が表示面３に表示されているときに起動制御処理を起動するための処理を示すフローチャートである。制御部１１は、ユーザによるアドレス帳の一覧を表示するための操作に応じて（Ｓ１２１：ＹＥＳ）、アドレス帳の一覧の画面を表示面３に表示する（Ｓ１２２）。そして、制御部１１は、ユーザによる所定キー（たとえば、キー操作部７（図１）における左側のキー等の所定キー）の押下に応じて（Ｓ１２３：ＹＥＳ）、起動制御処理を起動する（Ｓ１２４）。上記所定キーが押下される前にアドレス帳の一覧の表示を終了する操作がなされた場合（Ｓ１２３：ＮＯ→Ｓ１２５：ＹＥＳ）、制御部１１は、アドレス帳の一覧の表示を解除して（Ｓ１２６）、図２０（ａ）の処理を終了する。
【０１５５】
図２０（ｂ）は、アプリケーションの一覧（ランチャ画面）が表示面３に表示されているときに起動制御処理を起動するための処理を示すフローチャートである。制御部１１は、ユーザによるアプリケーションの一覧を表示するための操作（たとえば、キー操作部７（図１）における左側のキーを押下する操作）に応じて（Ｓ１３１：ＹＥＳ）、アプリケーションの一覧の画面を表示面３に表示する（Ｓ１３２）。そして、制御部１１は、ユーザによる所定キー（たとえば、キー操作部７（図１）における左側のキー）の押下に応じて（Ｓ１２３：ＹＥＳ）、起動制御処理を起動する（Ｓ１２４）。上記所定キーが押下される前にアプリケーションの一覧の表示を終了する操作がなされた場合（Ｓ１２３：ＮＯ→Ｓ１３３：ＹＥＳ）、制御部１１は、アプリケーションの一覧の表示を解除して（Ｓ１３４）、図２０（ａ）の処理を終了する。
【０１５６】
上記実施の形態では、スマートフォン型の携帯電話機に本発明が適用されている。しかしながら、これに限らず、ストレート式、折りたたみ式、スライド式等、他のタイプの携帯電話機に本発明が適用されてもよい。
【０１５７】
さらに、本発明は、携帯電話機に限られず、ＰＤＡ（Personal DigitalAssistant）、タブレットＰＣ（Tablet PC）、電子書籍端末等の携帯端末装置を含む、各種の通信装置に適用可能である。
【０１５８】
この他、本発明の実施の形態は、特許請求の範囲に示された技術的思想の範囲内において、適宜、種々の変更が可能である。
【符号の説明】
【０１５９】
１  携帯電話機  （携帯端末装置）
１２  記憶部  （実行部）
２３  対応リスト  （対応情報）
２２、２２ａ〜２２ｄ  連絡先情報  （連絡先）
３１  取得部  （実行部）
３２  画面生成部  （生成部）
３３  受付部
３４  プログラム実行部  （実行部）
４３  連絡アイコン  （第１画像）
４４  アプリケーションアイコン  （第２画像）
【図１】
0005911732.tif 000002
【図２】
0005911732.tif 000003
【図３】
0005911732.tif 000004
【図４】
0005911732.tif 000005
【図５】
0005911732.tif 000006
【図６】
0005911732.tif 000007
【図７】
0005911732.tif 000008
【図８】
0005911732.tif 000009
【図９】
0005911732.tif 000010
【図１０】
0005911732.tif 000011
【図１１】
0005911732.tif 000012
【図１２】
0005911732.tif 000013
【図１３】
0005911732.tif 000014
【図１４】
0005911732.tif 000015
【図１５】
0005911732.tif 000016
【図１６】
0005911732.tif 000017
【図１７】
0005911732.tif 000018
【図１８】
0005911732.tif 000019
【図１９】
0005911732.tif 000020
【図２０】
0005911732.tif 000021